(57)【要約】【課題】冬季に使用されるスノーポール用の内側筒体の安定した直立姿勢が得られ、内側筒体に車両等が衝突して傾斜しても元の直立状態に確実に復元するスノーポールコーンを提供する。【解決手段】スノーポールコーンは、路面に設置されるベースと、弾性材料からなり下部がベースに固定されてベースから上方に伸びる外側筒体と、弾性材料からなり外側筒体の内側に間隔をおいて設けられてその下部がベースと一体化されてベースから上方に伸びる補強用内筒体と、その上部が外側筒体から突出するように補強用内筒体の内側に着脱自在に挿入される内側筒体とを備えたスノーポールコーンにおいて、内側筒体は、補強用内筒体の内面に圧入されることを特徴とする。【選択図】図２
2008231872.tif 000002
【特許請求の範囲】
【請求項１】
路面（１００）に設置されるベース（１）と、弾性材料からなり下部（３ｂ）がベース（１）に固定されてベース（１）から上方に伸びる外側筒体（３）と、弾性材料からなり外側筒体（３）の内側に間隔をおいて設けられてその下部（２ｂ）がベース（１）と一体化されてベース（１）から上方に伸びる補強用内筒体（２）と、その上部（４ｂ）が外側筒体（３）から突出するように補強用内筒体（２）の内側に着脱自在に挿入される内側筒体（４）とを備えたスノーポールコーンにおいて、内側筒体（４）は、補強用内筒体（２）の内面（２ａ）に圧入されることを特徴とするスノーポールコーン。
【請求項２】
補強用内筒体（２）とベース（１）とが弾性材料で一体成型されている請求項１記載のスノーポールコーン。
【発明の詳細な説明】
【技術分野】
【０００１】
本発明は、雪国において積雪によって通常高さのポールコーンでは雪に埋まってしまってポールの位置が確認できないことを解消するために、ポールの高さを高くして雪が積もってもポールの位置を確認できるようにしたスノーポールコーンに関する。
【背景技術】
【０００２】
従来、夏季に使用される通常高さのポールコーンを利用するタイプのスノーポールコーンが公知である（下記特許文献１参照）。即ち、ベース上に同心円上に外側から順にそれぞれ弾性部材からなる外側筒体とそれより短い補強用筒体とを装着したものが夏季において使用され、冬季には、補強用筒体の内側に外側筒体よりも長いスノーポール用の内側筒体を挿入する。そして、内側筒体はベースの上面中央に形成された凹部に挿入されることで直立状態となり、その状態において内側筒体の上部が外側筒体よりも所定長さ上方に突出する。尚、内側筒体と補強用筒体との間には隙間が形成されている。
【特許文献１】特開２００４−２７０２２９号公報
【発明の開示】
【発明が解決しようとする課題】
【０００３】
しかしながら、上記従来のスノーポールコーンにあっては、内側筒体の下部が単にベースの凹部に挿入されているだけであるので、内側筒体とベースの凹部との間には僅かに隙間が存在し、従って、例えば風雪が内側筒体の上部に作用すると左右に振動しやすく、直立姿勢の安定性に欠けるという問題がある。
【０００４】
また、内側筒体の下部がベースの凹部に単に挿入されているだけであるので、内側筒体の上部に車両等が衝突したりした場合にその下部が凹部から外れやすいという問題もある。仮に内側筒体の下部が凹部から外れると、内側筒体と補強用筒体との間に隙間が存在していることから、内側筒体は傾いた状態となって元の直立状態には復元しない。このように内側筒体が傾斜状態となると、正確な視線誘導が行えないうえに運転手に内側筒体が倒れるのではないかという心配を生じさせる要因にもなる。また、内側筒体が凹部から外れると、風雪によって内側筒体が左右方向に揺動することにもなり、外側筒体や補強用筒体が弾性部材から構成されていることから内側筒体の揺動をそれら両部材で支えることもできず、結果として内側筒体は大きく揺動することとなって安定性が極めて悪化することとなるのである。
【０００５】
そこで、本発明は、上記従来の問題に鑑みてなされ、冬季に使用されるスノーポール用の内側筒体の安定した直立姿勢が得られ、内側筒体に車両等が衝突して傾斜しても元の直立状態に確実に復元するスノーポールコーンを提供することを課題とする。
【課題を解決するための手段】
【０００６】
本発明は、上記課題を解決すべくなされたものであり、本発明に係るスノーポールコーンは、路面に設置されるベースと、弾性材料からなり下部がベースに固定されてベースから上方に伸びる外側筒体と、弾性材料からなり外側筒体の内側に間隔をおいて設けられてその下部がベースと一体化されてベースから上方に伸びる補強用内筒体と、その上部が外側筒体から突出するように補強用内筒体の内側に着脱自在に挿入される内側筒体とを備えたスノーポールコーンにおいて、内側筒体は、補強用内筒体の内面に圧入されることを特徴とする。
【０００７】
該構成のスノーポールコーンにあっては、夏季において内側筒体は使用せず、ベース上に補強用内筒体と外側筒体とが起立した状態で使用される。一方、冬季においては、補強用内筒体の内面に内側筒体をスノーポール用として圧入した状態で使用される。この内側筒体は補強用内筒体の内面に圧入されることで直立状態となっており、その状態において内側筒体の上部は外側筒体よりも所定長さ上方に突出している。このように、内側筒体が補強用内筒体の内面に圧入されているので、内側筒体は、補強用内筒体に隙間なく固定されて両者は強固に一体化されている。従って、例えば風雪が内側筒体の上部に作用しても左右に振動することはなく、安定した直立姿勢を保つことができる。
【０００８】
また、内側筒体の上部に車両等が衝突した場合、弾性材料からなる補強用内筒体が屈曲変形を起こすことで内側筒体が補強用内筒体と共に傾斜状態となるが、補強用内筒体と内側筒体とは圧入により一体化されているので、補強用内筒体の弾性復元力によって補強用内筒体と共に内側筒体は元の直立状態に確実に戻ることとなる。また、元の直立状態に戻った後においても内側筒体は、補強用内筒体から外れることなく強固に固定され一体化された状態となっているので、安定した直立状態を継続的に保持する。
【０００９】
特に、補強用内筒体とベースとが弾性材料で一体成型されていることが好ましい。一般に、補強用内筒体とベースとが弾性材料で一体成型されているので、車両等が衝突した場合に補強用内筒体とベースとの境目で応力集中が生じにくい。従って、衝撃による補強用内筒体やベースの耐久性が増すこととなる。また、補強用内筒体とベースとを組み付ける必要がなくスノーポールコーンの取付作業の手間が軽減される。
【発明の効果】
【００１０】
このように、本発明に係るスノーポールコーンにあっては、冬季において内側筒体が補強用内筒体の内面に圧入され使用されているので、内側筒体の安定した直立姿勢が得られ、補強用内筒体の弾性復元力により内側筒体に車両等が衝突して傾斜しても元の直立状態に確実に復元するという効果を奏する。
【発明を実施するための最良の形態】
【００１１】
以下、本発明に係るスノーポールコーンの一実施形態について図面を参酌しつつ説明する。
本実施形態におけるスノーポールコーン５は、図１に示すように、路面１００に設置されるベース１と、弾性材料からなり下部３ｂがベース１に固定されてベース１から上方に伸びる外側筒体３と、弾性材料からなり外側筒体３の内側に間隔をおいて設けられてその下部２ｂがベース１と一体化されてベース１から上方に伸びる補強用内筒体２と、その上部４ｂが外側筒体３から突出するように補強用内筒体２の内側に着脱自在に挿入される内側筒体４とを備えている。以下、具体的に説明する。
【００１２】
ベース１は、図１及び図２に示すように、ほぼ円盤形状に形成され、路面１００に埋め込まれたアンカー６と締結するためのインサートボルト１２がその下面１ａの中心に埋め込まれている。即ち、ベース１の下面１ａが路面１００に接する。そして、ベース１の上面において環状の溝１３が設けられ、その溝１３の内径側の側壁１３ａは外径側の側壁１３ｂよりも軸方向に伸びている。さらに溝１３の内径側の側壁１３ａより径方向に間隔を空けて内側に円形の凹部１４が設けられており、この内径側の側壁１３ａと凹部１４との間には平坦部１５が設けられている。
【００１３】
補強用内筒体２は、図１及び図２に示すように、上端が開口している円筒形状で形成されており、上記したベース１の平坦部１５のほぼ中間の位置から軸方向に伸びるようにベース１と一体で成型されている。補強用内筒体２は、屈曲変形可能な弾性材料、例えばポリウレタン樹脂等を用いて製作されている。補強内筒体２はベース１と射出成形により一体に成形されていれば、内側筒体４から補強用内筒体２にストレスがかかっても、補強用内筒体２をベース１から外れにくくすることができ好ましい。
【００１４】
外側筒体３は、図１及び図２及び図３に示すように、両端が開口している円筒形状に形成されている。この外側筒体３は、補強用内筒体２よりも長い。この外側筒体３の下部３ｂは上記したベース１の溝１３に隙間なく挿入されて、その内面３１ａが溝１３の内側の側壁１３ａと熱融着等をされることによりベース１と一体化される。また、外側筒体３の上部の外周には軸方向に間隔を空けて３箇所に帯状の反射テープ（図示しない）が周方向に巻かれるように取り付けられている。外側筒体３は、屈曲変形可能な弾性材料のポリウレタン樹脂等を用いて製作されている。
【００１５】
また、図３に示すように、外側筒体３の上端部３ａには蓋３１が設けられている。蓋３１は、全体として筒状であってその上端部には内側に向かってつば部３１ａが全周に亘って形成されている。蓋３１の下部３１ｃは外側筒体３の上端部３ａの内面に熱融着等により固着されると共に、下部３１ｃを除いた蓋３１全体が外側筒体３より厚肉に形成されている。蓋３１が厚肉とされることで、後述する中途部４ｃにおける支持が確実なものとなされる。蓋３１は屈曲変形可能な弾性材料のポリウレタン樹脂等を用いて製作されており、外側筒体３と蓋３１とを同種の材料から形成し且つ熱融着を行えば固着される強度を格段に高めることができ好ましい。
【００１６】
内側筒体４は、図１及び図２及び図３に示すように、両端が開口している長尺の円筒形状に形成されている。この内側筒体４の長さは外側筒体３よりも長く、図１に示す使用状態においてはその上側半分以上が外側筒体３より上方に突出する。また、内側筒体４の外径は補強用内筒体２の内径よりも大きい。そして、内側筒体４は、上記した外側筒体３の蓋３１のつば部３１ａの内側３１ｂに挿入され、その下部４ａが補強用内筒体２の内面２ａに着脱可能に圧入される。内側筒体４の下部４ａは上記したベース１の平坦部１５まで入っていく。また、上端開口部（図示しない）には下方が開口したドーム型の蓋４１が設けられている。また、内側筒体４の外周には軸方向に間隔を空けて数箇所に帯状の反射テープ（図示しない）が周方向に巻かれるように取り付けられている。内側筒体４は硬質樹脂材料の硬質塩化ビニル樹脂等で成型されている。
【００１７】
以上のように構成されたスノーポールコーンについて、その使用形態について説明する。
スノーポールコーン５は、見通しの悪い路面やカーブの中央線や路肩に間隔をおいて配置され、運転者の視線を誘導する役割を果たす。路面１００への配置には、路面１００に埋め込んだアンカー６にスノーポールコーン５のベース１が備えるインサートボルト１２を締結して、ベース１の下面１ａを路面１００の上面に隙間なく固定させる。尚、ベース１の路面１００への固定手段としては、ボルトによる締結に限らずベース１の下面１ａに接着剤を塗布して路面１００の上面と接着してもよい。何れにしても路面１００にベース１が隙間なく固定されればよい。そして、夏季においては、内側筒体４は使用せず、ベース１と補強用筒体２と外側筒体３とを使用する。尚、外側筒体３の蓋３１のつば部３１ａを閉口するためのキャップを着脱可能に設けてもよい。一方、冬季においては、内側筒体４を補強用筒体２の内面２ａに圧入した状態で使用する。この内側筒体４は路面１００に対して直立状態となっており、その状態において内側筒体４はその上側半分が外側筒体３よりも上方へ突出している。従って、積雪により外側筒体３が雪に埋まっても内側筒体４の上部４ｂ（外側筒体から突出した領域）は雪上に突出しており、運転者はスノーポールコーン５の位置を正確に確認できる。
【００１８】
以上のように本実施形態におけるスノーポールコーン５にあっては、内側筒体４の下部４ａが補強用内筒体２の内面２ａに圧入されているので、内側筒体４の下部４ａと補強用内筒体２の内面２ａとの間には隙間がなく、内側筒体４と補強用内筒体２とは強固に一体化されている。また、内側筒体４が外側筒体３の蓋３１のつば部３１ａの内側３１ｂに挿入されているので、内側筒体４が外側筒体３により左右方向を支持されている。従って、風雪が内側筒体４の上部４ｂに作用しても左右に振動することはなく、安定した直立姿勢を保つことができる。しかも、内側筒体４は、補強用内筒体２の全長に亘って圧入されており、内側筒体４は補強用内筒体２の全領域を一体化されている。従って、確実に内側筒体４の直立姿勢が確保される。さらに外側筒体４の上端部３ａと内側筒体４との間には蓋３１が設けられていて、内側筒体４の中途部４ｃも蓋３１を介して外側筒体３により支持されている。従って、内側筒体４は下端部４ａのみならず中途部４ｃにおいても支持されることとなってより一層確実に直立性が維持される。
【００１９】
また、内側筒体４の上部４ｂに車両等が衝突した場合、補強用筒体２が弾性変形を起こすことで内側筒体４が補強用筒体２及び外側筒体３と共に傾斜状態となるが、補強用筒体２と内側筒体４とは圧入により一体化されているので、補強用筒体２及び外側筒体３の弾性復元力によって補強用内筒体２は元の直立状態に確実に戻ることとなる。また、元の直立状態に戻った後においても内側筒体４は、補強用内筒体２から外れることなく強固に固定され一体化された状態となり、さらに、内側筒体４が外側筒体３の蓋３１のつば部３１ａの内側３１ｂに挿入されているので、安定した直立状態を継続的に保持する。
【００２０】
また更に、ベース１と補強用内筒体２とが一体成型されているので、車両等が衝突した場合にベース１と一体成型されている補強用内筒体２の下部２ｂで応力集中が生じにくく、衝撃による補強用内筒体２やベース１の耐久性が増すこととなる。また、補強用内筒体２とベース１とを組み付ける必要がなくスノーポールコーン５の取付作業の手間が軽減される。
【００２１】
尚、補強用内筒体２とベース１とは一体成型でなくてもよい。即ち、例えば図２の二点鎖線で示されるように、補強用内筒体２をベース１とは別体で構成し、それをベース１に設けた環状の溝２５を挿入し熱溶着等で固着してもよい。何れにしてもベース１に補強用内筒体２の下部２ｂが一体化されておればよい。  
【図面の簡単な説明】
【００２２】
【図１】本発明の一実施形態に係るスノーポールコーンの概略断面図。
【図２】同実施形態に係るスノーポールコーンのベース及び補強用内筒体付近の拡大断面図
【図３】同実施形態に係るスノーポールコーンの外側筒体の蓋付近の拡大断面図
【符号の説明】
【００２３】
１・・・ベース、１ａ・・・下面、１２・・・インサートボルト、１３・・・溝、１３ａ・・・側壁、１３ｂ・・・側壁、１４・・・凹部、１５・・・平坦部、２・・・補強用内筒体、２ａ・・・内面、２ｂ・・・下部、２５・・・溝、３・・・外側筒体、３ａ・・・上端部、３ｂ・・・下部、３１・・・蓋、３１ａ・・・つば部、３１ｂ・・内側、３１ｃ・・・下部、４・・・内側筒体、４ａ・・・下部、４ｂ・・・上部、４ｃ・・・中途部、５・・・スノーポールコーン、６・・・アンカー、１００・・・路面
【図１】
2008231872.tif 000003
【図２】
2008231872.tif 000004
【図３】
2008231872.tif 000005